(57)【要約】【課題】流体の流路において、流体中の異物が制御弁内部の弁座と弁体との間に挟み込まれて、正常な閉弁動作が阻害されたり、弁座や弁体が傷付けられたりすることがない局部洗浄装置を提供する。【解決手段】流体の流路を開閉するための制御弁を配設した局部洗浄装置において、前記制御弁は弁座と弁体とで構成される弁開閉部を備え、前記弁開閉部の上流側であって前記制御弁内に設けられた流入路に、複数の小孔の小孔群からなる流入口を形成した流入口部材を配設した【選択図】  図１
2004162515.tif 000002
【特許請求の範囲】
【請求項１】
流体の流路を開閉するための制御弁を配設した局部洗浄装置において、前記制御弁は弁座と弁体とで構成される弁開閉部を備え、前記弁開閉部の上流側であって前記制御弁内に設けられた流入路に、複数の小孔の小孔群からなる流入口を形成した流入口部材を配設したことを特徴とする局部洗浄装置。
【請求項２】
前記流入口部材の前記小孔群が、平均空孔径が１００μｍ〜２００μｍからなる小孔により形成されていることを特徴とする請求項１に記載の局部洗浄装置。
【請求項３】
前記流入口部材が、ポリプロピレンにより形成されていることを特徴とする請求項１又は請求項２に記載の局部洗浄装置。
【発明の詳細な説明】
【０００１】
【発明の属する技術分野】
本発明は、局部洗浄装置に係わり、更に詳しくは、流路を開閉するための制御弁が設けられた流体の流路において、制御弁より上流側の流体流入流路に、流体中の異物を捕捉する捕捉体を設けた構造にすることを特徴とする局部洗浄装置に関するものである。
【０００２】
【従来の技術】
従来から、局部洗浄装置において、図４に示す洗浄用流体の流路、図５および図６に示す制御弁４が知られており、以下のように構成されている。
【０００３】
洗浄用流体は、流体供給口５から、ストレーナ１、逆止弁２、減圧弁３などが設けられた内部の流路を流れて、制御弁４に至る。ストレーナ１は洗浄用流体中の異物を除去し、逆止弁２は洗浄用流体が逆流するのを防止し、減圧弁３は洗浄用流体の圧力調整を行っている。また制御弁４が適宜開閉することで、洗浄用流体が先の便器または人体局部洗浄装置などに、切り替わって流れるようになっている(例えば、特許文献１参照)。
【０００４】
ここで洗浄用流体中に異物が混入した時、粒径２７０μｍ以上の大きいものはストレーナ１で捕捉される。しかし粒径２７０μｍ未満の小さい異物はストレーナ１を通過し、制御弁４まで流入することがあった。
【０００５】
また制御弁４の構造は以下である。すなわち先ず、当該制御弁４におけるバルブボディ６の下端部に、ハウジング７の上面開口部８に差し込まれる有底筒状の差込み部９が設けられており、この差込み部９の内部中空部に弁室１０が設けられており、この弁室１０に、上下方向に作動する弁体１１が設けられている。また、上記弁室１０の底面中央に、上記弁体１１が接離自在に当接する弁座１２が設けられており、この弁座１２の外周側に流体の流入口である入力口１３が設けられるとともに、弁座１２の内周側に流体の出力口１４が設けられている。上記入力口１３は、弁座１２の周りに設けられた複数（図上四等分）の切欠１５によって構成されており、各切欠１５は差込み部９の段差外周面９ａに比較的大きな開口面積をもって開口している。
【０００６】
【特許文献１】
特開平５−１１８０７５
【０００７】
【発明が解決しようとする課題】
しかしながら、上記従来の制御弁４においては、上記したように流体の入力口１３が差込み部９の外周面９ａに対して比較的大きな開口面積をもって開口しているために、流体に異物が紛れ込んでいると、この異物が容易に入力口１３を通過して弁室１０に侵入し、弁座１２と弁体１１との間に挟み込まれることがあり、これにより正常な閉弁動作が阻害されたり、弁座１２や弁体１１が傷付けられたりすることがある。
【０００８】
即ち、従来の局部洗浄装置では、少なくとも１個以上の制御弁が設けられた洗浄用流体の流路において、流体中の異物が制御弁内部の弁座と弁体との間に挟み込まれて、正常な閉弁動作が阻害されたり、弁座や弁体が傷付けられたりすることがあった。また、これらの不具合を発生させる異物の粒径は弁室１０に流入したもののうち、１００μｍより大きく２７０μｍより小さいものであることが判明した。
【０００９】
【課題を解決するための手段】
上記課題を解決するため、請求項１に記載の局部洗浄装置は、流体の流路を開閉するための制御弁を配設した局部洗浄装置において、前記制御弁は弁座と弁体とで構成される弁開閉部を備え、前記弁開閉部の上流側であって前記制御弁内に設けられた流入路に、複数の小孔の小孔群からなる流入口を形成した流入口部材を配設したことを特徴とするものである。本構造にすることで、弁座および弁体の近傍に異物が流入せず、異物噛み込みの不具合の発生を抑えることができる。
【００１０】
また、請求項２に記載の局部洗浄装置は、請求項１に記載の局部洗浄装置において、前記流入口部材が、ポリプロピレンにより形成されていることを特徴とするものである。
【００１１】
前記小孔群の平均空孔径を１００μｍ〜２００μｍにすることにより、弁座および弁体の近傍に粒径が１００μｍより大きく２７０μｍより小さいものからなる異物が流入せず、異物噛み込み不具合の主たる原因となる異物を効果的に補足でき、異物噛み込みの不具合の発生を抑えることができる。
【００１２】
この場合、小孔群の平均空孔径が１００μｍ未満であると、小孔群の中に異物が堆積し、平均空孔径が１００μｍ以上の場合と比べ、長期間にわたる使用において、制御弁４に流れ込む流体の容量が低下し、局部洗浄装置の機能の不具合を生じさせる原因となる。また、この小孔群の平均空孔径が２００μｍ以上であると、異物噛み込みの不具合の主たる原因となる粒径が１００μｍより大きく２７０μｍより小さいものからなるの異物が弁室１０に流入し、異物噛み込みの不具合が発生しやすい。
【００１３】
さらに、請求項３に記載の局部洗浄装置は、請求項１又は請求項２に記載の局部洗浄装置において、前記流入口部材が、ポリプロピレンにより形成されていることを特徴とするものである。
【００１４】
小孔群をポリプロピレンにて形成する場合、金属あるいはセラミックで形成する場合に比べ、安価に小孔群を形成できる。そして、前記小孔群の平均空孔径を１００μｍ〜２００μｍにすることにより、弁座および弁体の近傍に粒径が１００μｍより大きく２７０μｍより小さいものからなる異物が流入せず、異物噛み込み不具合の主たる原因となる異物を効果的に補足でき、異物噛み込みの不具合の発生を抑えることができる。
【００１５】
【発明の実施の形態】
つぎに本発明の実施例を図面にしたがって説明する。
【００１６】
図１は、本発明の第１実施例に係わり、複数の小孔からなる小孔群を有した流入口部材１６を、制御弁４の直近で、かつ流体供給口５側に配置した状態の要部断面を示している。
【００１７】
当該実施例に係わる制御弁４は、電磁作動形の流量制御弁であって、以下のように構成されている。
【００１８】
すなわち先ず、当該制御弁４におけるバルブボディ６の下端部に、ハウジング７の上面開口部８に差し込まれる有底筒状の差込み部９が設けられており、この差込み部９の内部中空部に弁室１０が設けられており、この弁室１０に、上下方向に作動する弁体１１が設けられている。
また、上記弁室１０の底面中央に、上記弁体１１が接離自在に当接する弁座１２が設けられており、この弁座１２の外周側に流体の入力口１３が設けられるとともに、弁座１２の内周側に流体の出力口１４が設けられている。
上記入力口１３は、弁座１２の周りに設けられた複数（図上四等分）の切欠１５によって構成されており、各切欠１５の外側に複数の小孔からなる小孔群を有した流入口部材１６が配置されている。このように複数の小孔からなる小孔群を有した流入口部材１６が設けられることによって、入力流路２１からの流体中の異物を捕捉し、弁座１２および弁体１１の近傍に異物が流入することをなくすことができる。
これにより異物が弁座１２と弁体１１との間に噛み込まれるのを防止することができる。
【００１９】
尚、上記したように当該制御弁４は電磁作動形流量制御弁であるため、弁体１１を作動させるべく電磁コイル１７、ヨーク１８、プランジャー１９および配線２０などの構成要素が設けられている。また上記ハウジング７には、入力口１３へ通じる入力流路２１や、出力口１４から通じる出力流路２２などが設けられており、このハウジング７と当該制御弁４とによって広義の制御弁が構成されている。
【００２０】
本発明の第２実施例については、前述の第１実施例における小孔群を有した流入口部材１６の平均空孔径が１００μｍ〜２００μｍで構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止することができる。
【００２１】
本発明の第３実施例については、前述の第１実施例における小孔群を有した流入口部材１６の平均空孔径が１００μｍ〜２００μｍであり、ポリプロピレンにより構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止し、なおかつ安価に局部洗浄便座を提供することができる。
【００２２】
図２は、本発明の第４実施例に係わり、複数の小孔からなる小孔群を有した流入口部材１６を、制御弁４の流体供給口５側で、かつ流体の流路に配置した状態の要部断面を示している。
【００２３】
当該実施例に係わる制御弁４は、上記第一実施例と同様に、電磁作動形の流量制御弁であって、以下のように構成されている。
【００２４】
すなわち先ず、当該制御弁４におけるバルブボディ６の下端部に、ハウジング７の上面開口部８に差し込まれる有底筒状の差込み部９が設けられており、この差込み部９の内部中空部に弁室１０が設けられており、この弁室１０に、上下方向に作動する弁体１１が設けられている。
また、上記弁室１０の底面中央に、上記弁体１１が接離自在に当接する弁座１２が設けられており、この弁座１２の外周側に流体の入力口１３が設けられるとともに、弁座１２の内周側に流体の出力口１４が設けられている。
上記入力口１３は、弁座１２の周りに設けられた複数の切欠１５によって構成されている。また入力流路２１に複数の小孔からなる小孔群を有した流入口部材１６が配置されており、入力流路２１からの流体中の異物を複数の小孔からなる小孔群を有した流入口部材１６で捕捉し、弁座１２および弁体１１の近傍に異物が流入することをなくすことができる。
これにより異物が弁座１２と弁体１１との間に噛み込まれるのを防止することができる。
【００２５】
尚、上記したように当該制御弁４は電磁作動形流量制御弁であるため、弁体１１を作動させるべく電磁コイル１７、ヨーク１８、プランジャー１９および配線２０などの構成要素が設けられている。また上記ハウジング７には、入力口１３へ通じる入力流路２１や、出力口１４から通じる出力流路２２などが設けられており、このハウジング７と当該制御弁４とによって広義の制御弁が構成されている。
【００２６】
本発明の第５実施例については、前述の第４実施例における小孔群を有した流入口部材１６の平均空孔径が１００μｍ〜２００μｍで構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止することができる。
【００２７】
本発明の第６実施例については、前述の第４実施例における小孔群を有した流入口部材１６の平均空孔径が１００μｍ〜２００μｍであり、ポリプロピレンにより構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止し、なおかつ安価に局部洗浄便座を提供することができる。
【００２８】
図３は、本発明の第７実施例に係わり、複数の小孔からなる小孔群を有した流入口部材１６を、制御弁４の内部に配置した状態の要部断面を示している。
【００２９】
当該実施例に係わる制御弁４は、上記第一実施例と同様に、電磁作動形の流量制御弁であって、以下のように構成されている。
【００３０】
すなわち先ず、当該制御弁４におけるバルブボディ６の下端部に、ハウジング７の上面開口部８に差し込まれる有底筒状の差込み部９が設けられており、この差込み部９の内部中空部に弁室１０が設けられており、この弁室１０に、上下方向に作動する弁体１１が設けられている。
また、上記弁室１０の底面中央に、上記弁体１１が接離自在に当接する弁座１２が設けられており、この弁座１２の外周側に流体の入力口１３が設けられるとともに、弁座１２の内周側に流体の出力口１４が設けられている。
上記入力口１３は、弁座１２の周りに設けられた複数の切欠１５によって構成されている。また弁室１０の入力側に複数の小孔からなる小孔群を有した流入口部材１６が配置されており、入力口１３および入力流路２１からの流体中の異物を複数の小孔からなる小孔群を有した流入口部材１６で捕捉し、弁座１２および弁体１１の近傍に異物が流入することをなくすことができる。
これにより異物が弁座１２と弁体１１との間に噛み込まれるのを防止することができる。
【００３１】
尚、上記したように当該制御弁４は電磁作動形流量制御弁であるため、弁体１１を作動させるべく電磁コイル１７、ヨーク１８、プランジャー１９および配線２０などの構成要素が設けられている。また上記ハウジング７には、入力口１３へ通じる入力流路２１や、出力口１４から通じる出力流路２２などが設けられており、このハウジング７と当該制御弁４とによって広義の制御弁が構成されている。
【００３２】
本発明の第８実施例については、前述の第７実施例における小孔群を有した流入口部材１６の平均空孔径が１００μｍ〜２００μｍで構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止することができる。
【００３３】
本発明の第９実施例については、前述の第７実施例における小孔群を有した流入口部材１６の平均空孔径が１００μｍ〜２００μｍであり、ポリプロピレンにより構成されている。このような複数の小孔からなる小孔群を有した流入口部材１６が設けられることによって、入力流路２１からの流体中の異物を捕捉し、弁座１２および弁体１１の近傍に異物噛み込みの主たる原因である粒径が１００μｍより大きく２７０μｍより小さいものからなる異物の流入を抑えることができる。
これにより異物が弁座１２と弁体１１との間に噛み込まれるのを効果的に防止し、なおかつ安価に局部洗浄便座を提供することができる。
【００３４】
本発明の実施の形態は、上記実施例に限定されるものではなく、少なくとも１個以上の制御弁が設けられた洗浄用流体の流路において、前記の制御弁より流体供給口側に、複数の小孔からなる小孔群を少なくとも１個以上配置した構成であれば良い。さらに一例として、洗浄用流体の流路の中間に、複数の小孔からなる小孔群を、内部に配置したハウジングを接続することなどもできる。
【００３５】
【発明の効果】
本発明は、以下の効果を奏する。
すなわち本発明は、弁室の底面に弁座を設け、該弁座の外周に流体の入力口を設けると共に前記弁座の内周側に流体の出力口を設けた制御弁を少なくとも１個以上有する局部洗浄装置に関し、前記制御弁の入力口を複数の小孔からなる小孔群により形成することにより、流体中の異物が捕捉され、これにより弁座および弁体の近傍に異物が流入しない構成になっている。
したがって、異物が弁座と弁体との間に噛み込まれるのを防止することができ、正常な閉弁動作が阻害されたり、弁座や弁体が傷付けられたりするのを防止することができる
【図面の簡単な説明】
【図１】本発明の第１実施例に係わる、複数の小孔からなる小孔群と制御弁の要部断面図
【図２】本発明の第４実施例に係わる、複数の小孔からなる小孔群と制御弁の要部断面図
【図３】本発明の第７実施例に係わる、複数の小孔からなる小孔群と制御弁の要部断面図
【図４】従来の洗浄用流体の流路の系統図
【図５】従来の制御弁の要部断面図
【図６】従来の制御弁の三面図および切欠の斜視図
【符号の説明】
１…ストレーナ、２…逆止弁、３…減圧弁、４…制御弁、５…流体供給口、６…バルブボディ、７…ハウジング、８…開口部、９…差込み部、９ａ…段部外周面、１０…弁室、１１…弁体、１２…弁座、１３…入力口、１４…出力口、１５…切欠、１６…小孔群を有する流入口部材、１７…電磁コイル、１８…ヨーク、１９…プランジャー、２０…配線、２１…入力流路、２２…出力流路
【図１】
2004162515.tif 000003
【図２】
2004162515.tif 000004
【図３】
2004162515.tif 000005
【図４】
2004162515.tif 000006
【図５】
2004162515.tif 000007
【図６】
2004162515.tif 000008